(57)【要約】【課題】プラズマディスプレイの画面からの漏洩赤外線によるノイズの出力を極力防止できる赤外線ワイヤレスマイクロホン・システムを提供する。【解決手段】赤外線センサ１１からの信号を音声信号ｓ２に変換する変換回路１３、同信号ｓ２からプラズマディスプレイ画面１５ａからの漏洩赤外線による信号成分を抽出するフィルタ１６、フィルタ出力信号レベルが閾値を超えた時に制限ＯＮ信号ｓ５を出力するコンパレータ１７及び信号ｓ２の通過・減衰・遮断を行う信号ゲート回路１８により受信機１４を構成する。信号ゲート回路１８は、信号ｓ２のレベルの高低と信号ｓ５の有無（実際の音声の有無と漏洩赤外線ｓ３によるノイズの有無）の組合せに応じて信号ｓ２を適切に出力する。実際の音声のみの時には減衰せずに出力し、実際の音声とノイズが共にある時には減衰して出力し、ノイズのみの時には遮断することで、再生音全体の雑音感を低減する。【選択図】        図１
2005006261.tif 000002
【特許請求の範囲】
【請求項１】
音声を赤外線信号に変換して送信する赤外線ワイヤレスマイクロホンと、この赤外線ワイヤレスマイクロホンからの赤外線信号を受信した赤外線センサからの信号を音声信号に変換する変換回路を有する赤外線ワイヤレスマイクロホン受信機とを備え、プラズマディスプレイに近接して使用される赤外線ワイヤレスマイクロホン・システムにおいて、
前記赤外線ワイヤレスマイクロホン受信機は、
前記変換回路により得られた音声信号中から前記プラズマディスプレイの画面からの漏洩赤外線に起因する信号成分を抽出するフィルタと、
このフィルタの出力信号レベルが予め定められた閾値を超えている時に制限ＯＮ信号を出力するコンパレータと、
前記音声信号の伝送路中に介挿接続され前記コンパレータの出力端子に制御端子が接続された信号ゲート回路とを備え、
前記信号ゲート回路は、
この信号ゲート回路に入力する音声信号を、
そのレベルが予め定められた開門用閾値を超え、かつ前記コンパレータから制限ＯＮ信号が出力されていない時には減衰させずに出力し、
そのレベルが前記開門用閾値を超え、かつ前記コンパレータの出力端子から制限ＯＮ信号が出力されている時には減衰させて出力し、
そのレベルが前記開門用閾値以下で、前記コンパレータの出力端子から制限ＯＮ信号が出力されている時には遮断することを特徴とする赤外線ワイヤレスマイクロホン・システム。
【請求項２】
音声を赤外線信号に変換して送信する赤外線ワイヤレスマイクロホンと、この赤外線ワイヤレスマイクロホンからの赤外線信号を受信した赤外線センサからの信号を音声信号に変換する変換回路を有する赤外線ワイヤレスマイクロホン受信機とを備え、プラズマディスプレイに近接して使用される赤外線ワイヤレスマイクロホン・システムにおいて、
前記赤外線ワイヤレスマイクロホン受信機は、
前記変換回路により得られた音声信号中から前記プラズマディスプレイの画面からの漏洩赤外線に起因する信号成分を抽出するフィルタと、
このフィルタの出力信号レベルが予め定められた閾値を超えている時に制限ＯＮ信号を出力するコンパレータと、
前記音声信号の伝送路中に介挿接続され前記コンパレータの出力端子に制御端子が接続された信号減衰回路とを備え、
前記信号減衰回路は、
この信号減衰回路に入力する音声信号を、前記コンパレータから制限ＯＮ信号が出力されている時には減衰させて出力することを特徴とする赤外線ワイヤイヤレスマイクロホン・システム。
【発明の詳細な説明】
【０００１】
【発明の属する技術分野】
本発明は、プラズマディスプレイに近接して使用される場合に有効な赤外線ワイヤレスマイクロホン・システムに関するものである。
【０００２】
【従来の技術】
ワイヤレスマイクロホン・システムは、音声信号の通信媒体に電波を用いる電波方式と、赤外線を用いる赤外線方式とに大別される。
電波方式では、信号の飛距離を大きくとれる利点があるものの、狭い範囲で同時に多数のシステムを使用する場合にはシステムの使用領域毎に隔壁を設けてもチャンネルの管理を適切に行わないと混信が生じる。一方、赤外線方式では、信号の飛距離を大きくとれないが、狭い範囲で同時に多数のシステムを使用する場合には赤外線（光）を通さない程度の隔壁があれば混信を回避できる利点がある。
そこで、いわゆるカラオケを楽しむ施設のように、狭い領域、空間に多数の部屋（カラオケルーム）を仕切り、各部屋毎に別個のワイヤレスマイクロホン・システムを使うような場合には、赤外線方式のワイヤレスマイクロホン・システム（赤外線ワイヤレスマイクロホン・システム）が使用される。
【０００３】
ところでカラオケは、図３に示すように、スピーカ３１からは歌が入らず曲のみ（伴奏曲）を出力させ、ディスプレイ３２の画面３２ａにはその曲の歌詞を適宜の画像と共に映し出す。ワイヤレスマイクロホン・システムを用いたカラオケの場合、歌い手は、同システムの送信機である赤外線マイク３３を持ち、ディスプレイ画面３２ａに映し出されたその曲の歌詞を見ながら歌う。歌い手の音声は、持っている赤外線マイク３３に入力されてシステムの受信機（ここでは赤外線センサを含む。）３４に送られ、上記伴奏曲にミキシングされてスピーカ３１から拡声出力（再生）される、というものである。なお、図中３５は上記ミキシングと拡声出力のための増幅を行うミキシングアンプである。
【０００４】
このようにカラオケには、ディスプレイが必須である。使用するディスプレイには、従来、ＣＲＴが主流であったがその後は液晶ディスプレイが用いられるようになり、最近ではプラズマディスプレイ（ＰＤＰ：Ｐｌａｓｍａ  Ｄｉｓｐｌａｙ  Ｐａｎｅｌ）も用いられてきた。プラズマディスプレイは、小さな設置空間でありながら大きな画面が実現できるので、大画面化傾向にあるカラオケ施設において、今後、多用されるディスプレイとして有力視されている。
【０００５】
ワイヤレスマイクロホン・システムに赤外線ワイヤレスマイクロホン・システムを使ったカラオケ施設において、このようなプラズマディスプレイが用いられた場合には、それまでのＣＲＴや液晶ディスプレイを用いられた場合とは違った配慮が必要となる。プラズマディスプレイは、発光成分に赤外線が含まれ、それが画面から漏洩するからである。
しかし、従来の赤外線ワイヤレスマイクロホン・システムにおいては、プラズマディスプレイ画面から漏洩する赤外線が同システムの受信機に与える影響については何ら配慮されていない。すなわち受信機は、赤外線マイクからの赤外線信号を受信して音声信号に変換するように構成されているに過ぎなかった（例えば、特許文献１参照）。
【０００６】
【特許文献１】
特開平１０−２４０２７６号公報（段落番号［００１４］）
【０００７】
【発明が解決しようとする課題】
このように従来のシステムでは、プラズマディスプレイ画面から漏洩する赤外線（漏洩赤外線）が、受信機に与える影響については何ら配慮されていなかった。このため、上記漏洩赤外線による信号成分が受信機の音声信号中に混入し、増幅され、スピーカから耳障りなノイズとして出力されることになった。
【０００８】
このようなノイズに対する防護策としては、プラズマディスプレイ画面と受信機（赤外線センサ）とが向き合わないように、プラズマディスプレイ及び受信機の設置位置や向きを工夫することが考えられるが、これではプラズマディスプレイや受信機の自由なレイアウトの障害となってしまう。また、仮にそれらが向き合わないように設置できたとしても、プラズマディスプレイ画面からの漏洩赤外線が天井面や壁面等で反射して受信機に入射しないとも限らず、抜本的な対策が要望されていた。
【０００９】
本発明（請求項１）は、上記のような要望に鑑みなされたもので、プラズマディスプレイに近接して使用される場合において、プラズマディスプレイ画面からの漏洩赤外線に起因するノイズが出力されることを極力防止でき、しかもこれが、プラズマディスプレイや受信機（赤外線センサ）の設置位置や向き、あるいは漏洩赤外線の反射等を考慮することなく実現できる赤外線ワイヤレスマイクロホン・システムを提供することを目的とする。
【００１０】
また他の発明（請求項２）は、同じくプラズマディスプレイに近接して使用される場合において、プラズマディスプレイ画面からの漏洩赤外線に起因するノイズが出力されることを簡単な構成で必要最低限防止でき、しかもこれが、プラズマディスプレイや受信機（赤外線センサ）の設置位置や向き、あるいは漏洩赤外線の反射等を考慮することなく実現できる赤外線ワイヤレスマイクロホン・システムを提供することを目的とする。
【００１１】
【課題を解決するための手段】
上記目的を達成するために、請求項１に記載の発明は、音声を赤外線信号に変換して送信する赤外線ワイヤレスマイクロホンと、この赤外線ワイヤレスマイクロホンからの赤外線信号を受信した赤外線センサからの信号を音声信号に変換する変換回路を有する赤外線ワイヤレスマイクロホン受信機とを備え、プラズマディスプレイに近接して使用される赤外線ワイヤレスマイクロホン・システムにおいて、前記赤外線ワイヤレスマイクロホン受信機は、前記変換回路により得られた音声信号中から前記プラズマディスプレイの画面からの漏洩赤外線に起因する信号成分を抽出するフィルタと、このフィルタの出力信号レベルが予め定められた閾値を超えている時に制限ＯＮ信号を出力するコンパレータと、前記音声信号の伝送路中に介挿接続され前記コンパレータの出力端子に制御端子が接続された信号ゲート回路とを備え、前記信号ゲート回路は、この信号ゲート回路に入力する音声信号を、そのレベルが予め定められた開門用閾値を超え、かつ前記コンパレータから制限ＯＮ信号が出力されていない時には減衰させずに出力し、そのレベルが前記開門用閾値を超え、かつ前記コンパレータの出力端子から制限ＯＮ信号が出力されている時には減衰させて出力し、そのレベルが前記開門用閾値以下で、前記コンパレータの出力端子から制限ＯＮ信号が出力されている時には遮断することを特徴とする。
【００１２】
請求項２に記載の発明は、音声を赤外線信号に変換して送信する赤外線ワイヤレスマイクロホンと、この赤外線ワイヤレスマイクロホンからの赤外線信号を受信した赤外線センサからの信号を音声信号に変換する変換回路を有する赤外線ワイヤレスマイクロホン受信機とを備え、プラズマディスプレイに近接して使用される赤外線ワイヤレスマイクロホン・システムにおいて、前記赤外線ワイヤレスマイクロホン受信機は、前記変換回路により得られた音声信号中から前記プラズマディスプレイの画面からの漏洩赤外線に起因する信号成分を抽出するフィルタと、このフィルタの出力信号レベルが予め定められた閾値を超えている時に制限ＯＮ信号を出力するコンパレータと、前記音声信号の伝送路中に介挿接続され前記コンパレータの出力端子に制御端子が接続された信号減衰回路とを備え、前記信号減衰回路は、この信号減衰回路に入力する音声信号を、前記コンパレータから制限ＯＮ信号が出力されている時には減衰させて出力することを特徴とする。
【００１３】
【発明の実施の形態】
以下、本発明の実施の形態を図面に基づき説明する。なお、各図間において、同一符号は同一又は相当部分を示す。
図１は、請求項１に記載の発明による赤外線ワイヤレスマイクロホン・システムの一実施形態を示すブロック図である。
この図に示すように赤外線ワイヤレスマイクロホン・システムは、音声を赤外線信号に変換して送信するシステムの送信機、つまり赤外線ワイヤレスマイクロホン１１と、このマイクロホン１１からの赤外線信号ｓ１を受信した赤外線センサ１２からの信号を音声信号ｓ２に変換する変換回路１３を有する赤外線ワイヤレスマイクロホン受信機１４とを備えてなる。なお、以下の説明において、赤外線ワイヤレスマイクロホン（送信機）１１は赤外線マイクと、赤外線ワイヤレスマイクロホン受信機１４は受信機と略記する。
ここで、上記赤外線センサ１２は、受信機筐体（図示せず）に内蔵されている場合と、受信機筐体外に設けられる場合とがある。赤外線センサ１２は、１つのシステム（受信機１４）に複数個接続され、赤外線マイク１１に対する赤外線受信の死角をなくすようにする場合もある。
本発明の赤外線ワイヤレスマイクロホン・システムは、図示するように、プラズマディスプレイ１５に近接して使用、具体的にはプラズマディスプレイ画面１５ａからの漏洩赤外線ｓ３が赤外線センサ１２に届く程度の距離の範囲内の場所で使用される場合に有効である。なお、ここではカラオケルームで使用されている場合を例示する。
【００１４】
上記受信機１４は、通常の赤外線ワイヤレスマイクロホン・システムにおける受信機と同様に、赤外線センサ１２からの信号を音声信号に変換する変換回路（受信機本体）１３を備える他、フィルタ１６、コンパレータ１７及び信号ゲート回路１８を備える。
ここで、変換回路１３は、図示しない高周波増幅回路、周波数変換回路、中間周波数増幅回路及び復調回路等を備えてなり、音声信号ｓ２は復調回路から出力される。
【００１５】
またフィルタ１６は、変換回路１３から出力される音声信号ｓ２中から上記プラズマディスプレイ１５の水平同期周波数（水平走査周波数）、通常１５．７５ｋＨｚの信号成分を抽出するフィルタである。これによりフィルタ１６は、プラズマディスプレイ画面１５ａからの漏洩赤外線ｓ３によるノイズ信号ｓ４を抽出する。
プラズマディスプレイ画面１５ａからの漏洩赤外線ｓ３は、同画面１５ａの画素を走査線に沿って発光させる際に生じるから、水平走査に同期して発生する。したがって、プラズマディスプレイ１５の水平走査周波数の信号成分が同画面１５ａからの漏洩赤外線ｓ３によるノイズ信号ｓ４とみなすことができるもので、上記フィルタ１６はこのノイズ信号ｓ４を抽出する。
【００１６】
コンパレータ１７は、フィルタ１６からの出力信号のレベル、すなわちフィルタ１６により抽出されたノイズ信号ｓ４のレベルが予め定められた閾値を超えている時に、漏洩赤外線ｓ３によるノイズ有りを表す制限ＯＮ信号ｓ５を出力する比較回路である。この閾値は、図中、第１可変抵抗器ＶＲ１による基準電圧Ｖ１の調整により設定される。なお１９は、コンパレータ１７が制限ＯＮ信号ｓ５を出力している時、つまり赤外線センサ１２に上記漏洩赤外線ｓ３が入力している時に、発光してそれを報知する表示器である。
【００１７】
信号ゲート回路１８は、上記変換回路１３から受信機出力端子ＯＵＴに至る音声信号伝送路中に介挿接続され、上記コンパレータ１７の出力端子に制御端子１８ａが接続されて、以下に述べる音声信号伝送路の開閉あるいは信号減衰を行う回路である。
すなわち信号ゲート回路１８は、同ゲート回路１８に入力する音声信号ｓ２のレベルと上記コンパレータ１７からの制限ＯＮ信号ｓ５の有無（ノイズ信号ｓ４のレベル）の組合せによって、受信機出力端子ＯＵＴに、以下のような音声信号ｓ２′を出力するようになされている。
【００１８】
まず信号ゲート回路１８は、同ゲート回路１８への入力音声信号ｓ２のレベルが予め定められた開門用閾値を超え、かつコンパレータ１７から制限ＯＮ信号ｓ５が出力されていない時には入力音声信号ｓ２を減衰させずに出力する（通過させる）。この信号ゲート回路１８がプリアンプ機能をもたなければ入力音声信号ｓ２をそのまま出力し、同機能をもつときにはその増幅率に従って増幅して出力する。上記開門用閾値は、入力音声信号ｓ２中に実際の音声信号が入っているか否（無信号状態）か、換言すれば、赤外線マイク１１に実際に音声が入力中か否かを判定するための基準値であり、例えば図中、第２可変抵抗器ＶＲ２による基準電圧Ｖ２の調整により設定される。
つまり信号ゲート回路１８は、赤外線マイク１１に音声が入力していて、赤外線センサ１２にプラズマディスプレイ画面１５ａからの漏洩赤外線ｓ３が入力していない（フィルタ１６からのノイズ信号ｓ４が閾値以下のレベルにある）時には入力音声信号ｓ２を減衰させずに出力する。この場合は、再生音中にノイズは生じなく、あるいは生じても小さく、ＳＮ比は最も大きくなっているからである。なお再生音とは、ここでは受信機出力端子ＯＵＴに出力された音声信号ｓ２′が同端子ＯＵＴに接続されたミキシングアンプ２０によって増幅され、スピーカ２１から出力される拡声音を指す。
【００１９】
また信号ゲート回路１８は、同ゲート回路１８への入力音声信号ｓ２のレベルが上記開門用閾値を超え、かつ上記コンパレータ１７の出力端子から制限ＯＮ信号ｓ５が出力されている時には入力音声信号ｓ２を減衰させて出力する（通過させる）。
つまり信号ゲート回路１８は、赤外線マイク１１に音声が入力しているが、同時に赤外線センサ１２にプラズマディスプレイ画面１５ａからの漏洩赤外線ｓ３も入力している（フィルタ１６からのノイズ信号ｓ４が閾値を超えたレベルにある）時には入力音声信号ｓ２を減衰させて出力する。再生音中のノイズが耳障りにならないようにするためである。
【００２０】
更に信号ゲート回路１８は、同ゲート回路１８への入力音声信号ｓ２のレベルが上記開門用閾値以下で、上記コンパレータ１７の出力端子から制限ＯＮ信号ｓ５が出力されている時には入力音声信号ｓ２を遮断する（通過させない）。
つまり信号ゲート回路１８は、赤外線マイク１１に音声が入力していなく、赤外線センサ１２にプラズマディスプレイ画面１５ａからの漏洩赤外線ｓ３が入力している（フィルタ１６からのノイズ信号ｓ４が閾値を超えたレベルにある）時には入力音声信号ｓ２を遮断する。この場合は、ＳＮ比は最小（再生音中の耳障りなノイズは最大）となるので入力音声信号ｓ２を遮断することで再生音中のノイズをなくしたい一方で、赤外線マイク１１には音声が入力されてなく、入力音声信号ｓ２を遮断しても再生音上、問題は生じないからである。
【００２１】
なお、信号ゲート回路１８に入力する信号ｓ２，ｓ５の組合せには、以上の他に、信号ゲート回路１８への入力音声信号ｓ２のレベルが開門用閾値以下で、コンパレータ１７の出力端子から制限ＯＮ信号ｓ５が出力されていない場合がある。つまり、赤外線マイク１１に音声が入力していなく、かつ赤外線センサ１２にプラズマディスプレイ画面１５ａからの漏洩赤外線ｓ３が入力していない（フィルタ１６からのノイズ信号ｓ４が閾値以下のレベルにある）場合がある。この場合は、入力音声信号ｓ２を減衰させて、あるいは減衰させずに出力してもよく、又は入力音声信号ｓ２を遮断してもよい。ここでは、開門用閾値を超え、かつコンパレータ１７から制限ＯＮ信号ｓ５が出力されていない時と同様に、入力音声信号ｓ２を減衰させずに出力する（通過させる）。ノイズ信号ｓ４が閾値以下の低レベルにある時には、入力音声信号ｓ２に忠実な再生音を得たいからである。
【００２２】
上述実施形態によれば、信号ゲート回路１８に入力する音声信号ｓ２のレベルとコンパレータ１７からの制限ＯＮ信号ｓ５の有無（ノイズ信号ｓ４のレベル）の如何なる組合せによっても、受信機出力端子ＯＵＴには適切な音声信号ｓ２′が出力されるようになる。すなわち、赤外線マイク１１に音声入力があり、ノイズ（漏洩赤外線ｓ３）がない時、及び音声入力、ノイズ共にない時には入力音声信号ｓ２を減衰させずに、また、音声入力があるがノイズもある時には入力音声信号ｓ２を減衰させて、入力音声信号ｓ２を出力する。しかし、音声入力がなくノイズのみがある時には入力音声信号ｓ２を遮断する（音声信号ｓ２を出力しない）ので、受信機１４から出力される音声信号ｓ２′全体としての雑音感は低減される。
すなわち、上述実施形態による赤外線ワイヤレスマイクロホン・システムがプラズマディスプレイ１５に近接して使用される場合において、プラズマディスプレイ画面１５ａからの漏洩赤外線ｓ３に起因するノイズが出力されることが極力防止される。しかもこのノイズ防止が、プラズマディスプレイ１５や受信機１４（赤外線センサ１２）の設置位置や向き、あるいは漏洩赤外線ｓ３の天井面や壁面による反射等を考慮することなく実現できる。
また上述実施形態によれば、赤外線センサ１２に漏洩赤外線ｓ３が入力している時には、表示器１９が発光してそれを報知するので、プラズマディスプレイ画面１５ａや赤外線センサ１２の向きや位置の変更を促し得る。
【００２３】
図２は、請求項２に記載の発明による赤外線ワイヤレスマイクロホン・システムの一実施形態を示すブロック図である。
ここでは、受信機１４には図１中の信号ゲート回路１８に代えて信号減衰回路２２が設けられている。この信号減衰回路２２は、同信号減衰回路２２への入力音声信号ｓ２を、コンパレータ１７から制限ＯＮ信号ｓ５が出力（信号減衰回路２２の制御端子２２ａに入力）されている時には減衰させ、同信号ｓ５が出力されていない時には減衰させずに出力する回路である。
つまり信号減衰回路２２は、赤外線センサ１２にプラズマディスプレイ画面１５ａからの漏洩赤外線ｓ３が入力している（フィルタ１６からのノイズ信号ｓ４が閾値を超えたレベルにある）時に入力音声信号ｓ２を減衰させて出力する。しかし、赤外線センサ１２に漏洩赤外線ｓ３が入力していない時には減衰させず、入力音声信号ｓ２はそのままのレベルで受信機出力端子ＯＵＴに音声信号ｓ２′として出力される、というものである。
【００２４】
図２に示す実施形態によれば、赤外線センサ１２に漏洩赤外線ｓ３が入力しているか否かのみによって再生音中の耳障りなノイズの低減を行うようにしている。したがって、漏洩赤外線ｓ３に起因するノイズが出力されることを簡単な構成で必要最低限防止できる。しかもこのノイズ防止が、プラズマディスプレイ１５や受信機１４（赤外線センサ１２）の設置位置や向き、あるいは漏洩赤外線ｓ３の天井面や壁面による反射等を考慮することなく実現できる。
また図示例では、図１中の表示器１９も省略され、これによっても図１の実施形態に比べて構成を簡易化できる。
【００２５】
なお、図１及び図２に示す実施形態において、変換回路１３の出力側にアンプを設け、フィルタ１６や信号ゲート回路１８、信号減衰回路２２に、増幅された音声信号ｓ２が入力されるようにしてもよい。信号ゲート回路１８、信号減衰回路２２と受信機出力端子ＯＵＴとの間にプリアンプを設けてもよい。
また、図１及び図２に示す実施形態においては、フィルタ１６はプラズマディスプレイ１５の水平同期周波数の信号成分を抽出するように構成したが、これのみに限定されることはない。プラズマディスプレイ画面１５ａからの漏洩赤外線ｓ３に起因する信号成分は、プラズマディスプレイ１５の水平同期周波数の信号成分のみならず広い帯域に跨っており、それらの信号成分の多くが再生音中のノイズ発生の原因となり得るからである。
一例として、フィルタ１６を、３０ｋＨｚ帯を超える、５０ｋＨｚあるいは６０ｋＨｚ以上の周波数の信号成分を抽出するように構成してもよい。３０ｋＨｚ帯を超える、５０ｋＨｚあるいは６０ｋＨｚ以上の周波数としたのは次の通りである。すなわち、ＦＭ変調方式を採るワイヤレスマイクロホン・システム（同変調方式を採る赤外線ワイヤレスマイクロホン・システムを含む。）においては、ワイヤレスマイクロホン（送信機）のスイッチＯＮ／ＯＦＦ時に生じるＦＭ波特有の雑音を消すためにトーンスケルチ回路を備えている。このトーンスケルチ回路で通常用いる３０ｋＨｚ帯のトーン信号がフィルタ１６で抽出され、トーンスケルチが正常に機能しなくなるのを防ぐためである。したがって、４０ｋＨｚ以上の周波数の信号成分を抽出するようにフィルタ１６を構成してもよい。
またフィルタ１６を、プラズマディスプレイ１５の水平同期周波数の信号成分に加えて、５０ｋＨｚあるいは６０ｋＨｚ以上の周波数の信号成分をも抽出するように構成してもよい。これによれば、ＦＭ変調方式を採る赤外線ワイヤレスマイクロホン・システムにおいて、プラズマディスプレイ画面１５ａからの漏洩赤外線ｓ３に起因するノイズの出力を広範囲に防止できる。
【００２６】
また、本発明の赤外線ワイヤレスマイクロホン・システムは、プラズマディスプレイが置かれたカラオケルームでの使用に限定されることはなく、プラズマディスプレイに近接して使用される場合の全てに適用できる。例えば、ワイヤレスマイクロホンに電波式を使用できず、赤外線ワイヤレスマイクロホン・システムが設置された病院等の医療機関の待合室において、同システムに近接して設置されたテレビジョンがプラズマディスプレイを用いたものである場合等にも使用できる。
【００２７】
【発明の効果】
請求項１に記載の発明によれば、プラズマディスプレイに近接して使用される場合において、プラズマディスプレイ画面からの漏洩赤外線に起因するノイズが出力されることを極力防止できる。しかもこれが、プラズマディスプレイや受信機（赤外線センサ）の設置位置や向き、あるいは漏洩赤外線の反射等を考慮することなく実現できるという効果がある。
【００２８】
また請求項２に記載の発明によれば、同じくプラズマディスプレイに近接して使用される場合において、プラズマディスプレイ画面からの漏洩赤外線に起因するノイズが出力されることを簡単な構成で必要最低限防止できる。しかもこれが、プラズマディスプレイや受信機（赤外線センサ）の設置位置や向き、あるいは漏洩赤外線の反射等を考慮することなく実現できるという効果がある。
【図面の簡単な説明】
【図１】請求項１の発明による赤外線ワイヤレスマイクロホン・システムの一実施形態を示すブロック図である。
【図２】請求項２の発明による赤外線ワイヤレスマイクロホン・システムの一実施形態を示すブロック図である。
【図３】赤外線ワイヤレスマイクロホン・システムを用いたカラオケシステムの概念図である。
【符号の説明】
１１  赤外線ワイヤレスマイクロホン（赤外線マイク）
１２  赤外線センサ
１３  変換回路
１４  赤外線ワイヤレスマイクロホン受信機（受信機）
１５  プラズマディスプレイ
１６  フィルタ
１７  コンパレータ
１８  信号ゲート回路
ｓ１  赤外線信号
ｓ２，ｓ２′  音声信号
ｓ３  漏洩赤外線
ｓ４  ノイズ信号
ｓ５  制限ＯＮ信号
【図１】
2005006261.tif 000003
【図２】
2005006261.tif 000004
【図３】
2005006261.tif 000005